(57)【特許請求の範囲】
【請求項１】
不透明層および発光層が積層された面状発光体と、
前記面状発光体に連結された固定部とを備え、
取付面に設けられた取付部に前記固定部が係合されることにより取り付けられる照明装置であって、
前記不透明層に設けられた透視部を有し、
前記透視部が、非点灯時に前記発光層側から前記透視部を通じて前記固定部を視認可能であるとともに、点灯時に面状発光体からの発光により前記発光層側から前記透視部を通じて前記固定部を視認不可能であることを特徴とする照明装置。
【請求項２】
前記透視部が複数設けられていることを特徴とする請求項１に記載の照明装置。
【発明の詳細な説明】
【技術分野】
【０００１】
本発明は照明装置に係り、例えば、天井や壁等に取り付けられて面状に発光する照明装置に関するものである。
【背景技術】
【０００２】
従来より、建物の天井面に取り付けられる照明装置は、天井面に密着した状態で固定される本体と、本体を覆うカバーとを有している（例えば特許文献１参照）。
本体は、プレス加工により金属板を円形、矩形、リブの有無、縁部加工等所望の形状に成形するとともに、例えば中央部に貫通孔が設けられ、白熱灯や蛍光灯等の光源が支持されている。カバーは、例えば乳白色の樹脂製とされ、下方から本体や光源が見えないように本体に取り付けられる。
【０００３】
このような照明装置を天井面等に取り付ける場合には、あらかじめ本体からカバーを取り外しておき、本体の挿通孔から天井面に設けられた取付部を視認しながら取付部を挿通孔に挿通させる。
そして、取付部を挿通孔に係合させることにより、天井面に密着するように本体が固定され、光源への給電配線を接続した後に、本体にカバーを取り付けるようにしている。
【特許文献１】特開平５−２８２９１２号公報
【発明の開示】
【発明が解決しようとする課題】
【０００４】
ところで、近年、ＥＬ（Electro Luminescence）素子等の面状発光体を光源とする照明装置が提案されている。面状発光体は、金属電極層、発光層、透明電極層およびガラス基板が積層されていて、電力が供給されることにより発光層の全域が略均一に発光するようになっている。
このような面状発光体を用いた照明装置は、従来に比較して均一な輝度で面状に発光するため、大面積の照明装置として期待されている。
【０００５】
このような面状発光体を用いた照明装置は、面状発光体の裏面に設けられた固定部を天井面の取付部に係合させることにより、天井面に接近した状態で固定されることになる。従って、照明装置を天井面に取り付けるには、面状発光体を支持しながら作業者が上向き作業を行い、固定部を天井面の取付部に係合させる必要がある。
【０００６】
しかしながら、面状発光体の金属電極層は不透明であり、視界は金属電極層によって遮られる。このため、作業者は従来のように挿通孔から取付部を視認しながら取付作業を行うことができないので、取付作業が困難であるという不都合があった。
【０００７】
本発明は、前述した問題点に鑑みてなされたものであり、その目的は、光源として面状発光体を採用しても取付作業を容易に行うことができる照明装置を提供することにある。
【課題を解決するための手段】
【０００８】
前述した目的を達成するために、本発明は、不透明層および発光層が積層された面状発光体と、前記面状発光体に連結された固定部とを備え、取付面に設けられた取付部に前記固定部が係合されることにより取り付けられる照明装置であって、前記不透明層に設けられた透視部を有し、前記発光層側から前記透視部を通じて前記固定部を視認可能である。
【０００９】
このように構成された照明装置においては、照明装置を取り付けるための固定部が見えるように透視部を不透明層に設けたので、本来透視できない不透明層と透視できる発光層とを有する面状発光体を通して、固定部とこの固定部を取り付ける取付面の取付部とを視認することができる。このため、面状発光体を有する照明装置を、所定の取付部に容易に取り付けることができる。なお、固定部の見え方としては、直下に限らず、斜め方向から見えてもよい。
【００１０】
また、本発明は、前記透視部が複数設けられている。
【００１１】
このように構成された照明装置においては、不透明層を通して固定部を見るための透視部を複数設けたので、複数個の固定部を視認したり、特定の固定部をいろんな角度から視認することができるようになる。
これにより、照明装置を取付面に取り付ける際に自由度が広がり、例えば重量配分を考慮した取り付けが可能になる。
【発明の効果】
【００１２】
本発明によれば、照明装置を取り付けるための固定部が見えるように透視部を不透明層に設けたので、本来透視できない不透明層と透視できる発光層とを有する面状発光体を通して、固定部とこの固定部を取り付ける取付面の取付部とを視認することができる。
このため、面状発光体を有する照明装置を、所定の取付部に容易に取り付けることができるという効果が得られる。
【発明を実施するための最良の形態】
【００１３】
以下、本発明に係る実施形態を図面に基づいて詳細に説明する。
図１（Ａ）は本発明の照明装置に係る第１実施形態を示す平面図、図１（Ｂ）は図１（Ａ）中Ｂ−Ｂ位置の断面図、図１（Ｃ）は固定部の別の例を示す平面図、図２は照明装置を取付部に取り付ける状態を示す斜視図、図３（Ａ）は非点灯時を示す断面図、図３（Ｂ）は点灯時を示す断面図、図４は電極に給電している状態を示す斜視図である。
【００１４】
（第１実施形態）
図１（Ａ）および（Ｂ）に示すように、本発明の実施形態に係る照明装置１０Ａは、例えば有機ＥＬを用いたものであり、不透明層である金属電極１１および発光層１２が積層された面状発光体１３と、面状発光体１３に連結された固定部１４とを備え、取付面である天井面３０に設けられた取付部３１に固定部１４が係合されることにより取り付けられるようになっている。
そして、図１（Ａ）に示すように、金属電極１１に設けられた透視部である透視窓１５を有し、発光層１２側から透視部１５を通じて固定部１４が視認可能となっている（図２参照）。
【００１５】
図３（Ａ）および（Ｂ）に示すように、面状発光体１３は、金属電極１１、発光層１２、透明電極１６およびガラス基板１７を積層して構成されており、金属電極１１のみが不透明層となっている。従って、金属電極１１を切り欠いて透視窓１５を設けられている。
これにより、図３（Ａ）に示すように、非点灯時には、発光層１２側であるガラス基板１７側（図３において下側）から、透視窓１５を介して金属電極１１側（図３において上側）を透視することができ、取付部３１を視認することができる。
一方、図３（Ｂ）に示すように、照明装置１０Ａを天井面３０に取り付けて点灯した時には、ガラス基板１７を通して発せられる光が明るいため、発光層１２の向こう側（図３において上側）を透視することができず、透視窓１５を隠すことになる。
【００１６】
面状発光体１３は強度的に弱いものであり、ある程度の面積を支持するために、図１に示すように、例えば、Ｘ字状の支持部材１８を設ける。支持部材１８を構成するアーム１８ａの先端には支持ブロック１８ｂが設けられており、面状発光体１３の最下面にあるガラス基板１７の四隅を保持している。これにより、面状発光体１３は支持部材１８によって支持され、支持部材１８に設けられている固定部１４を取付部３１に係合させることにより、天井面３０に取り付けられることになる。
【００１７】
また、図１に示すように、アーム１８ａには、金属電極１１と透明電極１６とに給電するための給電配線１９が敷設されている。
そして、図４に示すように、支持ブロック１８ｂ内において、金属電極１１あるいは透明電極１６に給電するようになっている。図４には、金属電極１１に給電する状態が示されており、対角位置（図１参照）にある支持ブロック１８ｂ内では透明電極１６に給電するようになっている。
【００１８】
図１（Ａ）および（Ｂ）に示すように、固定部１４は例えば矩形箱状をした本体１４ａと、本体１４ａから突出する一対の金属製の強度が強い受電端子１４ｂを有している。受電端子１４ｂの先端部は略直角に曲げられており、この受電端子１４ｂを取付部３１に挿入して回転させて係合することにより、照明装置１０Ａを天井面３０に取り付けると同時に、取付部３１の給電端子（図示省略）と電気的に接続されるようになっている。
なお、固定部１４は、矩形箱状のものに限らず、図１（Ｃ）に示すような円柱形状の固定部１４Ｂであってもよい。
【００１９】
次に、照明装置１０Ａを天井面３０に取り付ける取付作業について説明する。
まず、取付面である天井面３０の所定位置に、取付部３１を取り付けるとともに配線しておく。
図２に示すように、作業者Ｍは、対角線位置の１対の支持ブロック１８ｂを把持して照明装置１０Ａを持ち、透視窓１５を通して取付部３１を視認する。
【００２０】
そして、透視窓１５を通して取付部３１を視認しながら、照明装置１０Ａの固定部１４を取付部３１に近づけて行き、受電端子１４ｂを取付部３１に設けられているスリット（図示省略）に挿入して、照明装置１０Ａを全体的に回転させる。
これにより、受電端子１４ｂは給電端子（図示省略）に係合して固定されると同時に電気的に接続される。
【００２１】
以上、説明した照明装置１０Ａにおいては、照明装置１０Ａを取り付けるための固定部１４が見えるように透視窓１５を金属電極１１に設けたので、本来透視できない金属電極１１と透視できる発光層１２とを有する面状発光体１３を通して、固定部１４とこの固定部１４を取り付ける取付面３０の取付部３１とを視認することができる。
このため、面状発光体１３を有する照明装置１０Ａを、所定の取付部３１に容易に取り付けることができる。
【００２２】
なお、固定部１４の見え方としては、直下に限らず、斜め方向から見えてもよい。
また、透視窓１５は、面状発光体１３を製造する際にあらかじめ金属電極１１に設けられているので、その後、特に透視窓１５を形成する工程は必要ではなく、照明装置１０Ａの製造工程に影響しない。
【００２３】
（第２実施形態）
次に、第２実施形態に係る照明装置について説明する。
図５（Ａ）は第２実施形態に係る照明装置を上方から見た平面図、図５（Ｂ）は第２実施形態に係る照明装置を下方から見た底面図である。なお、前述した第１実施形態に係る照明装置と共通する部位には同じ符号を付して、重複する説明を省略することとする。
【００２４】
図５（Ａ）および（Ｂ）に示すように、第２実施形態に係る照明装置１０Ｂでは、支持部材１８Ｂを十字形状に形成し、面状発光体１３の周縁の幅方向の中央および長さ方向の中央を通過するように設けてある。各アーム１８ａの先端には、面状発光体１３を厚さ方向に把持する支持ブロック１８ｂが設けられており、面状発光体１３の外周縁の幅方向の中央および長さ方向の中央を把持するようになっている。
その他の構成および取り付け方は、前述した第１実施形態に係る照明装置１０Ａの場合とまったく同様であり、同様の作用効果を得ることができる。
【００２５】
（第３実施形態）
次に、第３実施形態に係る照明装置について説明する。
図６は第３実施形態に係る照明装置を示す分解斜視図、図７は図６中VII−VII位置の断面図である。なお、前述した第１実施形態あるいは第２実施形態に係る照明装置と共通する部位には同じ符号を付して、重複する説明を省略することとする。
【００２６】
図６に示すように、第３実施形態に係る照明装置１０Ｃでは、複数枚（ここでは４枚）の面状発光体１３を有しており、面状発光体１３を収容するための枠体２１を有している。枠体２１の内部には、各面状発光体１３の外周縁を支持するために「田」字状の支持枠２２を有しており、この支持枠２２に対応して十字形の押え部材２３が設けられている。
押え部材２３の上面中央部には、固定部１４が設けられている。この押え部材２３は、４枚の面状発光体１３を支持枠２２との間に挟持するものであり、ネジ２４によって枠体２１の外周面に設けられている取付ブラケット２１ａに固定される。
【００２７】
なお、４枚の面状発光体１３を同一平面に配列した際に、中央部に透視窓１５が形成されるように、各面状発光体１３の一隅角部において金属電極１１を４分の１円形状に切り欠いてある。
その他の構成および取り付け方は、前述した第１実施形態に係る照明装置１０Ａの場合とまったく同様であり、同様の作用効果を得ることができる。
【００２８】
（第４実施形態）
次に、第４実施形態に係る照明装置について説明する。
図８は第４実施形態に係る照明装置を上方から見た斜視図である。なお、前述した第１実施形態〜第３実施形態に係る照明装置と共通する部位には同じ符号を付して、重複する説明を省略することとする。
【００２９】
図８に示すように、第４実施形態に係る照明装置１０Ｄでは、複数個（ここでは、例えば２個）の透視窓１５が設けられている。例えば、面状発光体１３が細長い場合に、中央の１箇所で支持するのが適切でなく、複数箇所で支持したい場合には、重量配分を考慮しながら支持部材１８の交点毎に固定部１４を複数個設ける。
そして、固定部１４に対応して複数個の透視窓１５を設けるようにする。
【００３０】
このように、各固定部１４ごとに透視窓１５を設けることにより、複数個の固定部１４によって取付部３１に取り付ける際に、各固定部１４に対応する取付部３１を視認することができるので、複数箇所において確実に取付を行うことができる。
【００３１】
なお、本発明の照明装置は、前述した各実施形態に限定されるものでなく、適宜な変形，改良等が可能である。
例えば、前述した各実施形態において、面状発光体としてＥＬ素子を用いたものについて説明したが、本発明に係る照明装置は、この他、例えばＬＥＤを多数配列することにより面状に発光するものにも適用可能である。この場合には、不透明層は回路基板が該当し、発光層としては多数のＬＥＤが該当する。
【００３２】
また、前述した各実施形態においては、透視窓１５を円形とした場合について説明したが、図９に示すように、透視窓１５Ｂを矩形とすることもできる。あるいは、その他の形状とすることもできる。
また、透視窓１５Ｂは金属電極を切り欠いた部分に透明電極を設けてもよい。
さらに、前述した各実施形態においては、照明装置１０を取付面としての天井面３０に取り付ける場合について説明したが、その他、例えば壁に取り付けることもできる。
【産業上の利用可能性】
【００３３】
以上のように、本発明に係る照明装置は、照明装置を取り付けるための固定部が見える透視部を不透明層に設けたので、本来透視できない不透明層と透視できる発光層とを有する面状発光体を通して、固定部とこの固定部を取り付ける取付面の取付部とを視認することができる。
このため、面状発光体を有する照明装置を、所定の取付部に容易に取り付けることができるという効果を有し、例えば、天井や壁等に取り付けられて面状に発光する照明装置等として有用である。
【図面の簡単な説明】
【００３４】
【図１】（Ａ）は本発明の照明装置に係る第１実施形態を示す平面図、（Ｂ）は図１（Ａ）中Ｂ−Ｂ位置の断面図
【図２】照明装置を取付部に取り付ける状態を示す斜視図
【図３】（Ａ）は非点灯時を示す断面図、（Ｂ）は点灯時を示す断面図
【図４】金属電極に給電している状態を示す斜視図
【図５】（Ａ）は第２実施形態に係る照明装置を上方から見た平面図、（Ｂ）は第２実施形態に係る照明装置を下方から見た底面図
【図６】第３実施形態に係る照明装置を示す分解斜視図
【図７】図６中VII−VII位置の断面図
【図８】第４実施形態に係る照明装置を上方から見た斜視図である。
【図９】別の形状の透視窓を備えた照明装置の上側から見た平面図
【符号の説明】
【００３５】
１０  照明装置
１１  金属電極（不透明層）
１２  発光層
１３  面状発光体
１４  固定部
１５  透視窓（透視部）
３０  天井面（取付面）
３１  取付部
【図１】
0004635861.tif 000002
【図２】
0004635861.tif 000003
【図３】
0004635861.tif 000004
【図４】
0004635861.tif 000005
【図５】
0004635861.tif 000006
【図６】
0004635861.tif 000007
【図７】
0004635861.tif 000008
【図８】
0004635861.tif 000009
【図９】
0004635861.tif 000010